(57)【要約】【課題】簡単な構造で日除けの巻き上げの操作性を高めた日除け巻上げ具及び日除け吊り具を提供する。【解決手段】日除け５を紐４で巻き上げるための日除け巻上げ具１であって、日除け吊り具２とストッパー３とを備えており、日除け吊り具２は、吊り下げ用のフック１３と、取付対象物６を挟み込む本体と、取付対象物６に巻き付ける固定ベルトと、操作時に紐４を案内しながら紐４を摺動させる摺動部とを備えており、ストッパー３は、貫通孔が形成された外筒３０及び内筒３１と、外筒３０内部に収納されたスプリングとを備えており、内筒３１を押圧することにより、紐４とストッパー３との間の相対的移動が可能になり、内筒３１の押圧を解除すれば、スプリングの反発力で紐４が押圧されて、紐４が前記ストッパー３に保持される。【選択図】図１
2014128374.tif 000002
【特許請求の範囲】
【請求項１】
日除けを紐で巻き上げるための日除け巻上げ具であって、
日除け吊り具と、前記日除け吊り具と別に構成したストッパーとを備えており、
前記日除け吊り具は、
吊り下げ用のフックと、
日除けの取付対象物を挟み込む本体と、
前記取付対象物に巻き付ける固定ベルトと、
操作時に紐を案内しながら紐を摺動させる摺動部とを備えており、
前記ストッパーは、
それぞれ貫通孔が形成された外筒及び内筒と、
前記外筒内部に収納されたスプリングとを備えており、
前記内筒を押圧することにより、前記紐と前記ストッパーとの間の相対的移動が可能になり、前記内筒の押圧を解除すれば、前記スプリングの反発力で前記紐が押圧されて、前記紐が前記ストッパーに保持されることを特徴とする日除け巻上げ具。
【請求項２】
前記摺動部は、前記本体から突出した突起体と一体に形成されており、前記突起体は、前記本体と別部品として構成されている請求項１に記載の日除け巻上げ具。
【請求項３】
前記日除け吊り具に、前記日除け吊り具とは別に容易した結束バンドを挿通させる挿通孔が形成されている請求項１又は２に記載の日除け巻上げ具。
【請求項４】
前記突起体を２つ備えており、一方の前記突起体で紐を案内し、他方の前記突起体で紐を固定し、前記２つの突起体は同一物である請求項２又は３に記載の日除け巻上げ具。
【請求項５】
日除けを吊るための日除け吊り具であって、
吊り下げ用のフックと、
日除けの取付対象物を挟み込む本体と、
前記取付対象物に巻き付ける固定ベルトと、
操作時に紐を案内しながら紐を摺動させる摺動部とを備えていることを特徴とする日除け吊り具。
【請求項６】
前記摺動部は、前記本体から突出した突起体と一体に形成されており、前記突起体は、前記本体と別部品として構成されている請求項５に記載の日除け吊り具。
【請求項７】
前記日除け吊り具に、前記日除け吊り具とは別に容易した結束バンドを挿通させる挿通孔が形成されている請求項５又は６に記載の日除け吊り具。
【請求項８】
前記突起体を２つ備えており、一方の前記突起体で紐を案内し、他方の前記突起体で紐を固定し、前記２つの突起体は同一物である請求項６又は７に記載の日除け吊り具。
【発明の詳細な説明】
【技術分野】
【０００１】
本発明は、巻き取り量を調整して簾やシェード等の日除けの高さ調整をする日除け巻上げ具及び日除けを吊るすための日除け吊り具に関する。
【背景技術】
【０００２】
簾やシェード等の日除けの高さ調整をする器具として、紐により日除けを巻き取る巻上げ具が知られている。これらの巻上げ具として、ストッパーを用いて紐を保持し、任意の巻き取り位置に日除けを保持できるものが各種提案されている。下記特許文献１に記載の簾巻上げ器は、簾を吊るす吊掛部を有する主巻き上げ器本体に、紐を保持するストッパーが一体になっている。ストッパーには噛み爪を設けており、これを紐に喰い込ませて紐を保持するようにしている。
【０００３】
特許文献２に記載の日除け吊掛装置は、日除けを吊るす日除け支持アームとは別に、ストッパーとして機能する紐止め具を備えている。この紐止め具は、紐を嵌入する紐嵌入溝に加え、紐嵌入溝を拡開可能な拡開手段を備えている。この構成では、拡開手段により紐嵌入溝を拡開することにより、紐と紐止め具との間の相対的移動を可能にしている。
【先行技術文献】
【特許文献】
【０００４】
【特許文献１】実用新案登録第３１６７６９３号公報
【特許文献２】特開平９−２７６１２４号公報
【発明の概要】
【発明が解決しようとする課題】
【０００５】
しかしながら、前記特許文献１に記載の簾巻上げ器は、簾を吊るす吊掛部を有する主巻き上げ器本体にストッパー機構が一体になっており構造が複雑であった。また、ストッパーの操作は、紐を振る操作が必要であり、この操作は直接的かつ直観的な操作ではなかった。さらに、噛み爪に紐を喰い込ませるため、紐の径や材料は限定されてしまう。
【０００６】
特許文献２の日除け吊掛装置は、ストッパーとして機能する専用のストッパーを備えているが、紐嵌入溝は一端が開放されているので、作業中に紐が紐嵌入溝から外れる可能性があった。紐が紐嵌入溝から外れても紐の移動は可能であるが、紐を再び紐嵌入溝に挟まなければならず、必ずしも円滑な動作は実現できなかった。
【０００７】
本発明は、前記のような従来の問題を解決するものであり、簡単な構造で日除の巻き上げの操作性を高めた日除け巻上げ具及び日除け吊り具を提供することを目的とする。
【課題を解決するための手段】
【０００８】
前記目的を達成するために、本発明の日除け巻上げ具は、日除けを紐で巻き上げるための日除け巻上げ具であって、日除け吊り具と、前記日除け吊り具と別に構成したストッパーとを備えており、前記日除け吊り具は、吊り下げ用のフックと、日除けの取付対象物を挟み込む本体と、前記取付対象物に巻き付ける固定ベルトと、操作時に紐を案内しながら紐を摺動させる摺動部とを備えており、前記ストッパーは、それぞれ貫通孔が形成された外筒及び内筒と、前記外筒内部に収納されたスプリングとを備えており、前記内筒を押圧することにより、前記紐と前記ストッパーとの間の相対的移動が可能になり、前記内筒の押圧を解除すれば、前記スプリングの反発力で前記紐が押圧されて、前記紐が前記ストッパーに保持されることを特徴とする。
【０００９】
この構成によれば、日除け吊り具とは別にストッパーを備えているので、ストッパー機能は日除け吊り具とは別のストッパーが分担している。このため、日除け吊り具は構造が簡単になるとともに、ストッパーは、日除け吊り具の構造の制約を受けることなく、ストッパー専用の構造を採用できる。一方、前記構成のストッパーの操作は、外筒の押圧とその解除で足り、紐の操作は紐を横に振らす等の特別な操作は不要になり、直接的かつ直感的な簡単な操作が実現できる。また、紐はストッパーの貫通孔内に収まった状態で移動するので、紐がストッパーから外れることはない。さらに、紐は、ストッパーの貫通孔を挿通できればよく、紐の保持は、ストッパーを紐に噛みこませる構成ではないため、紐の径や材料の選択範囲が広くなる。一方、ストッパーを吊り具とは別に設けても、ストッパーはデザインの一部としての印象を与え、使用状態における外観を損なうことはなく、ストッパーは意匠的効果にも寄与する。
【００１０】
本発明の日除け吊り具は、日除けを吊るための日除け吊り具であって、吊り下げ用のフックと、日除けの取付対象物を挟み込む本体と、前記取付対象物に巻き付ける固定ベルトと、操作時に紐を案内しながら紐を摺動させる摺動部とを備えていることを特徴とする。この構成は簡単な構造で、取付けの調整機能を有した日除け吊り具が実現できる。ストッパー機能は別途専用のストッパーに分担させようにすれば、構造が簡単になる。この場合、摺動部に可動部を設ける必要がなく、摺動部は単に紐が摺動する機能が果たせれば足り、可動部を可動させるための操作は不要になり、操作性も高まる。
【００１１】
前記本発明の日除け巻上げ具及び前記日除け吊り具においては、以下の各構成とすることが好ましい。前記摺動部は、前記本体から突出した突起体と一体に形成されており、前記突起体は、前記本体と別部品として構成されていることが好ましい。この構成によれば、本体及び突起体はそれぞれに適した材料を選定できる。このことにより、取付対象物に取り付ける本体は柔軟な材料で形成し、紐が摺動して発熱する突起体は耐熱性のある材料で形成すれば、日除け吊り具は取付け性と耐熱性とを両立させることができる。
【００１２】
前記日除け吊り具に、前記日除け吊り具とは別に容易した結束バンドを挿通させる挿通孔が形成されていることが好ましい。この構成によれば、取付対象物が日除け吊り具と一体の固定バンドでは囲みきれない大きさであっても、日除け吊り具とは別に容易した結束バンドを用いて日除け吊り具を固定可能になる。また、挿通孔は、結束バンドを挿通させるための専用の挿通孔であるので、日除け吊り具の固定が確実になるととも、美観を損ねることもない。
【００１３】
前記突起体を２つ備えており、一方の前記突起体で紐を案内し、他方の前記突起体で紐を固定し、前記２つの突起体は同一物であることが好ましい。この構成にれば、それぞれ別の役割を果たす突起体を同一物としたことにより、成形型は１種類で足り製造面で有利になるとともに、部品の取り付間違いが防止でき、部品の管理も容易になり取扱い面でも有利になる。
【発明の効果】
【００１４】
本発明によれば、簡単な構造で日除けの巻き上げの操作性を高めた日除け巻上げ具及び日除け吊り具を提供することができる。
【図面の簡単な説明】
【００１５】
【図１】本発明の一実施形態に係る日除け巻上げ具の使用状態を示す斜視図。
【図２】図１のＡ部の拡大図。
【図３】本発明の一実施形態に係る日除け吊り具の分解斜視図。
【図４】本発明の一実施形態に係る日除け吊り具において、突起体１１の取り付け部分を示す断面図。
【図５】本発明の一実施形態に係る日除け吊り具の外観図であり、（ａ）図は平面図、（ｂ）図は正面図、（ｃ）図は底面図、（ｄ）図は側面図。
【図６】本発明の一実施形態に係る日除け吊り具の背面図。
【図７】本発明の一実施形態に係る日除け吊り具を簾の上桟に取り付ける途中の状態を示す斜視図。
【図８】本発明の一実施形態に係る日除け吊り具の簾の上桟への取り付け完了状態を示す斜視図。
【図９】図１のＡＡ線における断面図。
【図１０】本発明の一実施形態に係る日除け吊り具の固定方法の別の例を示す断面図。
【図１１】図１のストッパー３の近傍の拡大図。
【図１２】図１１に示したストッパー３の断面図であり、ストッパー３に対し紐４が移動可能な状態を示す断面図。
【図１３】図１１に示したストッパー３の断面図であり、ストッパー３に紐４が保持された状態を示す断面図。
【発明を実施するための形態】
【００１６】
以下、本発明の一実施形態について、図面を参照しながら説明する。図１は、本発明の一実施形態に係る日除け巻上げ具（以下、単に「巻上げ具」という）１の使用状態を示す斜視図である。最初に、巻上げ具１の構成及び動作について概略的に説明する。巻上げ具１は、日除け吊り具（以下、単に「吊り具」という）２、ストッパー３及び紐４を備えている。巻上げ具１は簾５に取り付けられており、巻上げ具１により、簾５の巻き取り量を調整して簾５の高さ調整をすることができる。図１は、簾５の表側（室内側）を図示している。簾５は、日除けの一例であり、巻上げ具１による巻き取り対象物は、幕状の日除けであればよく、シェード等であってもよい。
【００１７】
簾５の上桟６に、左右１対の吊り具２が固定されている。図２は吊り具２の近傍（図１のＡ部）の拡大図を示している。吊り具２は、フック１３を備えている。取付け具（図示せず）にフック１３を引っ掛けることにより、簾５全体が吊り具２を介して吊り下げられる。吊り具２の表側には、貫通孔２３が形成された突起体１１がある。貫通孔２３は、紐４を支持しかつ紐４を摺動させる摺動部である。図２では図示されていないが、吊り具２の裏側にも、貫通孔２３が形成された突起体１１がある（図８参照）。この貫通孔２３に、紐４を結び付けることにより、紐の端部を固定することができる。
【００１８】
吊り具２の裏側で固定された紐４は、図１に示したように、簾５の裏側から簾５の前側に回り込み、吊り具２の表側の貫通孔２３に挿通される。貫通孔２３を挿通した紐４は、さらにストッパー３に挿通される。詳細は後に説明するように、ストッパー３は内筒３１を押圧することにより、ストッパー３と紐４とが相対的に移動可能になる。内筒３１の押圧を解除すると、ストッパー３内部のスプリングの復元力により、内筒３１は元の位置に押し戻されて、紐４は再びストッパー３に保持される。図１の状態では、紐４はストッパーに保持されており、簾５は図１の高さが保持される。
【００１９】
ストッパー３の内筒３１を押圧し、ストッパー３と紐４とが相対的に移動可能になった状態で、ストッパー３の位置を保持しつつ、紐４を下側に引っ張ると（矢印ａ）、略垂直方向に張った左右の紐４は上側に上っていく（矢印ｂ）。このことにより、簾５の下部の巻き取り量が増加し、簾５の下部が上昇するとともに、簾５の全高は低くなり、簾５による遮蔽面積は小さくなる。ストッパー３の内筒３１の押圧を解除すると、再び紐４はストッパー３に保持され、簾５の高さも保持される。
【００２０】
一方、図１のように簾５の下部をある程度巻き取った状態では、ストッパー３の内筒３１を押し、紐４に力を加えなければ、簾５の自重により簾５は垂れ下がっていく。このことにより、簾５の下部の巻き取り量が減少し、簾５の下部が下降するとともに、簾５の全高は高くなり、簾５による遮蔽面積は大きくなる。ストッパー３の内筒３１の押圧を解除すると、再び紐４はストッパー３に保持され、簾５の高さも保持される。
【００２１】
前記の要領で、ストッパー３の内筒３１を押圧して、ストッパー３に対して紐４を移動させるとともに、ストッパー３の内筒３１の押圧を解除して紐４を新たな位置に保持することにより、簾５を上下させて簾５の高さ調整をすることができる。
【００２２】
以下、図面を参照しながら、吊り具２について具体的に説明する。図３は吊り具２の分解斜視図を示している。図３に示したように、吊り具２は、本体１０と一対の突起体１１とで構成されている。本体１０は、取付対象物を挟み込んで取付対象物に取り付ける部品である。このため、本体１０は柔軟な材料で形成されており、例えばポリエチレン樹脂である。一対の突起体１１のうち、一方は紐４を摺動させる摺動部として用い、他方は紐４を固定する固定部として用いる。突起体１１は本体１０と別部品であるので、本体１０と別材料にでき、例えばナイロン樹脂である。このことよる効果は後に説明する。
【００２３】
本体１０は、プレート状部分が対向した支持体１２に、フック１３及び固定バンド１４が一体に形成されている。支持体１２には、突起１１の装着孔１５及び固定バンド１４の挿通孔１６及び固定孔１７が形成されている。また、詳細は後に説明するが、吊り具２を取付対象物に固定するために、固定バンド１４とは別の結束バンドを用いることができる。挿通孔２０はこの結束バンドを挿通させる孔である。
【００２４】
突起体１１は、平板部２１と凸部２２が一体になっており、凸部２２には貫通孔２３が形成されている。各突起体１１は、基本構成が同じであれば、異なる形状であってもよいが、製造や本体１０への取付け等の便宜のために同一物であることが好ましい。すなわち、同一物であれば成形型は１種類で足り製造面で有利になるとともに、部品の取り付間違いが防止でき、部品の管理も容易になり取扱い面でも有利になる。
【００２５】
図４は、本体１０の装着孔１５に突起体１１を取り付けた状態を示す断面図である。前記のとおり、本体１０は柔軟な材料で形成されている。また、図４の図示状態において、凸部２２は頂点から根元に向かうにつれて、徐々に上下の間隔が広がっている。このため、凸部２２の最大長Ｌ１が装着孔１５の長さＬ２より大きくても、凸部２２を圧入して、図４に示したように装着孔１５に凸部２２が通過した状態にできる。図４のように、突起体１１が本体１０に取り付けられた状態では、凸部２２の根元部の長さＬ１が装着孔１５の長さＬ２より大きいため、凸部２２の根元部と本体１０の表面とが重なりあっている。このため、突起体１１の抜け防止が図られ、突起体１１は本体１０に確実に固定される。
【００２６】
図５及び図６は、本体１０に突起体１１を取り付けた吊り具２の完成状態を示している。（ａ）図は平面図、（ｂ）図は正面図、（ｃ）図は底面図、（ｄ）図は右側面図を示している。左側面図は省略しているが、（ｄ）図を反転させた図と同じになる。図６は背面図を示している。突起体１１を本体１０に取り付けたことにより、図５（ｄ）に示したように、本体１０の表裏の両側から突起体１１が突出する。後に説明するように、突出した一方の突起体１１の貫通孔２３には紐４を挿通させ、他方の貫通孔２３には紐４を結び付けて固定する。
【００２７】
図７は、吊り具２を図１の簾５の上桟６に取り付ける途中の状態を示した斜視図である。図８は吊り具２の上桟６への取り付け完了状態を示した斜視図である。図７の状態では、吊り具２の支持体１２が上桟６を挟み込んでいる。この状態から固定バンド１４を、挿通孔１６（図３）に挿通させる。図３に示したように、挿通孔１６は、挿通孔１６よりも幅の小さい固定孔１７と一体になっている。このため、挿通孔１６を挿通させた固定バンド１４を、固定孔１７側に移動させれば、固定バンド１４の突起部２６が固定孔１７で位置規制されて、固定バンド１４の位置移動が規制される。このことにより、吊り具２は、上桟６を囲んで上桟６に固定される。
【００２８】
図９を参照しながら、吊り具２の取付け状態について、さらに具体的に説明する。図９は、図１のＡＡ線における断面図である。上桟６を吊り具２の本体１０と固定バンド１４とで囲んでいる。固定バンド１４は、前記のとおり固定孔１７（図３）により位置移動が規制されている。したがって、図９の状態では、吊り具２は、本体１０と固定バンド１４とが上桟６を囲んだ状態で、上桟６に固定されている。上桟６の裏側（固定バンド１４の延出側）においては、紐４の端部を突起体１１の貫通孔２３に挿通させて、紐４の端部を突起体１１に結び付けている。このことにより、紐４の端部は突起体１１に固定されている。上桟６の表側においては、紐４が突起体１１の貫通孔２３を挿通し、紐４が貫通孔２３において摺動可能になっている。
【００２９】
図１の使用状態では、吊り具２のフック１３を、例えば図９に示したような止め具２５に吊るす。この構成では、簾５の巻き取り操作時の外力は、簾５の上桟６に加わらず、吊り具２に加わることになる。したがって、吊り具２の強度を確保しておけば、操作の繰り返しによる簾５の破損や変形を防ぐことができる。このため、吊り具２は、強度の低い簾５であっても使用可能になる。
【００３０】
また、簾５の巻き取り操作時には、突起体１１の貫通孔２３を紐４が摺動する。この摺動により摩擦熱が発生する。このため、突起体１１は耐熱性のある材料とする必要がある。一方、前記のとおり、本体１０は、取付対象物を囲んで取付対象物に取り付ける部分であるので（図７〜９参照）、本体１０は柔軟な材料で形成する必要がある。図３を用いて説明したとおり、吊り具２は本体１０と突起体１１とを別部品で構成しているので、両者を別材料で形成することができる。したがって、本体１０は柔軟な材料（例えばポリエチレン樹脂）で形成し、突起体１１は耐熱性のある材料（例えばナイロン樹脂）で形成し、取付け性と耐熱性とを両立させることができる。
【００３１】
図８及び図９では、吊り具２は固定バンド１４を用いて、上桟６に取り付けられている。上桟６の大きさに応じて、支持体１２からの固定バンド１４の延出長さが調整されるので、吊り具２は異なる大きさの上桟６に固定することができる。加えて、本実施形態に係る吊り具２は、上桟６等の取付対象物が固定バンド１４では囲みきれない大きさであっても、取付対象物に固定可能である。図１０は、固定バンド１４を用いない固定方法を示す断面図である。図１０の吊り具２は、固定バンド１４（２点鎖線部）をカットしている。本体１０を柔軟な材料で形成していれば、このカットは容易である。図１０では、吊り具２とは別に用意した結束バンド２７を用いて、吊り具２を上桟６に固定している。結束バンド２７は汎用品を用いることができる。
【００３２】
図３に示した通り、本体１０には結束バンド２７を挿通させる挿通孔２０が形成されている。図１０の状態は、挿通孔２０に結束バンド２７を挿通させて、結束バンド２７が吊り具２及び上桟６の両方を囲んでいるので、吊り具２は上桟６に確実に固定される。この構成によれば、取付対象物が吊り具２と一体の固定バンド１４では囲みきれない大きさであっても、吊り具２を取付対象物に固定可能になる。また、結束バンド２７を挿通させるための専用の挿通孔２０に、結束バンド２７を挿通させるので、吊り具２の固定が確実になるととも、美観を損ねることもない。
【００３３】
本実施形態に係る吊り具２は、本体１０と突起体１１とが別部品であるが、いずれも樹脂成形でき、かつ突起体１１は本体１０に圧入するだけで本体１０に装着できるので、製造は容易である。また、吊り具２は、ストッパー機能はストッパー３に分担させことを前提としているので、構造が簡単になる。さらに、紐４の摺動部に可動部を設けていないので、摺動部は単に紐４が摺動する機能を果たせれば足り、例えば図１のような使用状態で使用した場合、操作時に可動部を可動させるための操作は不要になり、操作性も高まる。操作の詳細は、後に説明する。
【００３４】
また、本実施形態に係る吊り具２は一例であり、適宜形状を変更してもよい。例えば、フック１３は、閉じた孔を形成したものでなくてもよく、一部が開放した鍵状のものであってもよい。同様に、突起体１１の摺動部についても、貫通孔２３に限るものではなく、一部が開放した鍵状のものであってもよい。すなわち、突起体１１に形成する摺動部は、紐を支持しかつ紐を摺動させることができる構成であればよい。また、本体１０と突起体１１とが別部品である例で説明したが、両者を１部品で形成してもよい。
【００３５】
次に、巻上げ具１の構成部品であるストッパー３の構成及び動作について具体的に説明する。図１１は、図１のストッパー３の近傍の拡大図を示している。図１２及び図１３は、図１１に示したストッパー３の断面図である。図１２は、ストッパー３に対し紐４が移動可能な状態を示している。図１３はストッパー３に紐４が保持された状態を示している。図１１において、ストッパー３は、外筒３０と内筒３１とを備えている。図１２に示したように、内筒３１の端面部と外筒３０の底面との間にはスプリング３２が介在している。内筒３１には横方向に貫通孔３４が形成されている。外筒３３の側面には、１対の貫通孔３３が形成されている。図１２は、内筒３１を押圧した状態を示している。内筒３１の押圧により、スプリング３２が縮み内筒３１が外筒３０内に押し込まれている。この状態では、外筒３０の貫通孔３３の位置に、内筒３１の貫通孔３４の開口部があり、ストッパー３と紐４とが相対的に移動可能になる。
【００３６】
図１２の状態から外筒３１の押圧を解除すれば、スプリング３２の復元力により、内筒３１は外側に向かって移動する。この状態を示したのが、図１３である。図１３の状態では、内筒３１の貫通孔３４と外筒３０の貫通孔３３とが軸方向において位置がずれている。このため、紐４が押圧されて紐４はストッパー３に対して固定される。
【００３７】
内筒３１を押圧した図１２の状態では、ストッパー３の位置を保持したまま、紐４を下側に引けば、ストッパー３内を紐４が下側に向けて通過して行き、図１において、簾５の巻取り量が増え簾５が上方に移動していく。この際、紐４はストッパー３の貫通孔３３、３４内に収まった状態で移動するので、紐４がストッパー３から外れることはない。紐４の操作は紐４を単に下側に引けばよく、紐４を横に振らす等の特別な操作は不要になる。また、貫通孔３３、３４の径を十分大きくしておけば、紐４の移動は円滑になるとともに、紐４の径の選択範囲が広くなる。さらに、ストッパー３を紐４に噛み込ませる構成ではないため、紐４の損傷は防止され、紐４の材料の選択範囲も広くなる。図１２の状態において、簾５の高さ調整をした後は、内筒３１の押圧を解除するだけで、ストッパー３に紐４が固定された図１２の状態になる。
【００３８】
ここで、吊り具自体にストッパー機能を持たせた構造では、機構が複雑になるとともに、紐４の径や材料も限定されてしまう。これに対し、本実施形態に係る巻上げ具１は、吊り具２とは別にストッパー３を備えている。すなわち、吊り具２には紐４のストッパー機能はなく、ストッパー機能は吊り具２とは別のストッパー３が分担している。このため、吊り具２は構造が簡単になるとともに、ストッパー３は、吊り具２の構造の制約を受けることなく、ストッパー専用の構造を採用できる。前記のとおり、ストッパー３の操作は、内筒３１の押圧とその解除で足り、紐４の操作は紐４を単に下側に引けばよく、直接的かつ直感的な簡単な操作が実現できる。また、紐４は、ストッパー３の貫通孔３３、３４を挿通できればよく、紐４の径や材料の選択範囲も広くなる。このことは意匠的効果にも寄与する。
【００３９】
一方、ストッパー３を吊り具２とは別に設けても、図１に示したように、ストッパー３は、略垂直方向には張った紐４の中央部分に配置でき、巻上げ具１は中央の紐４に対して対称な配置が可能になる。また、ストッパー３は小型の円筒状部品であり、他の部分に対して突出した印象を与えない。このため、ストッパー３はデザインの一部としての印象を与え、図１のような使用状態においても外観を損なうことはなく、ストッパー３は意匠的効果にも寄与する。
【００４０】
図１１〜１３に示したストッパー３は一例であり、内筒３１を押圧することにより、紐４とストッパー３との間の相対的移動が可能になり、内筒３１の押圧を解除すれば、紐４が押圧されて、紐４が前記ストッパーに保持されるものであれば、他の構成であってもよい。
【００４１】
また、図１において簾５の高さを低くするには、前記の方法に限られない。ストッパー３が紐４を保持した状態で、紐４を引き下げた後、ストッパー３の内筒３１を押圧して、紐４とストッパー３との間の相対的移動が可能な状態にして、ストッパー３を上側に移動させてもよい。この場合であっても、紐４の外れを防止しつつ、簾５の高さ調整作業が容易であることには変わりがない。
【符号の説明】
【００４２】
１  日除け巻上げ具
２  日除け吊り具
３  ストッパー
４  紐
５  簾（日除け）
６  上桟（取付対象物）
１０  本体
１１  突起体
１３  フック
１４  固定バンド
２０  挿通孔
２７  結束バンド
３０  外筒
３１  内筒
３２  スプリング
３３，３４  貫通孔
【図１】
2014128374.tif 000003
【図２】
2014128374.tif 000004
【図３】
2014128374.tif 000005
【図４】
2014128374.tif 000006
【図５】
2014128374.tif 000007
【図６】
2014128374.tif 000008
【図７】
2014128374.tif 000009
【図８】
2014128374.tif 000010
【図９】
2014128374.tif 000011
【図１０】
2014128374.tif 000012
【図１１】
2014128374.tif 000013
【図１２】
2014128374.tif 000014
【図１３】
2014128374.tif 000015